(57)【要約】【課題】  釣り糸が、釣り竿の先端部に絡まるのを防止する絡まり防止器具を提供する。【解決手段】  釣り竿５の先端の糸通し輪具２に着脱自在に組付く組付部１０と、組付部１０から垂下設され、所定長さを有する連結棒部２０と、連結棒部２０の下端に連結され、釣り竿５の先端から垂れ下がる釣り糸３を挿通する挿通部３０とで構成する。また、組付部１０を、連結棒部２０の上端に連設する円弧状の円弧部１１と、当該円弧部の末端から、連結棒部２０とで略ハの字を形成するように延設した延設部１２と、連結棒部２０に昇降自在に嵌合する円筒形状で、延設部１２に連結棒部２０と共に嵌合して円弧部を縮径して円形状とし、糸通し輪具２の先端部に組付ける円筒部１３とで構成する。また、円筒部１３を除く部分を、弾性に富む針金状の金属線で形成する。【選択図】      図２
2007295837.tif 000002
【特許請求の範囲】
【請求項１】
釣り竿（５）の先端部に取付けられ，釣り糸（３）が前記釣り竿の先端部に絡まるのを防止する器具であって、前記釣り竿の先端の糸通し輪具（２）に着脱自在に組付く組付部（１０）と、前記組付部から垂下設され，所定長さを有する連結棒部（２０）と、前記連結棒部の下端に連結され，前記釣り竿の先端から垂れ下がる釣り糸を挿通する挿通部（３０）とからなる釣り糸の絡まり防止器具。
【請求項２】
釣り竿（５）の先端部に取付けられ，釣り糸（３）が前記釣り竿の先端部に絡まるのを防止する器具であって、前記釣り竿の先端の糸通し輪具（２）に着脱自在に組付く組付部（１０）と、前記組付部から垂下設され，所定長さを有する連結棒部（２０）と、前記連結棒部の下端に連結され，前記釣り竿の先端から垂れ下がる釣り糸を挿通する円形状の挿通部（３０）とからなり、前記組付部を，前記連結棒部の上端に連設する円弧状の円弧部（１１）と，該円弧部の末端から，前記連結棒部とで略ハの字を形成するように延設した延設部（１２）と，前記連結棒部に昇降自在に嵌合する円筒形状で，前記延設部を前記連結棒部と共に嵌合して前記円弧部を縮径して円形状とし，前記糸通し輪具（２）に強固に組付ける円筒部（１３）とで構成し、前記円筒部を除く部分を，弾性に富む針金状の金属線で形成してなる釣り糸の絡まり防止器具。
【請求項３】
挿通部（３０）を、連結棒部（２０）より左右一方側に寄せて形成し、かつ、その開口空間部（３１）を上向きに形成してなる請求項１または２に記載の釣り糸の絡まり防止器具。
【発明の詳細な説明】
【技術分野】
【０００１】
本発明は、例えば、魚の投げ釣りに使用する釣り竿の先端部に取付け、釣り糸が当該先端部に絡まるのを防止する絡まり防止器具に関するものである。
【背景技術】
【０００２】
魚釣りの方法として、例えば、釣り竿（投げ竿）にリールを取付け、当該釣り竿を振ってリールに巻回している釣り糸を遠くに放つ投げ釣りがある。
【発明の開示】
【発明が解決しようとする課題】
【０００３】
こうした投げ釣りに使用する釣り竿５には、釣り人を悩ます問題が頻繁に発生する。それは、釣り糸３を巻き上げた状態などにおいて、当該釣り糸３が風邪などの影響を受けた際に、図１に示すように、釣り竿５の先端部に絡まり付くことである。この問題は、釣り糸３が釣り竿５の先端から直接垂れ下がっているため、風などの影響で、当該釣り糸３が竿５の先端を支点として揺れて、そのすぐ近傍に位置する釣り竿５の先端部に容易に届いてしまうことによって発生するものである。
【０００４】
釣り糸３が釣り竿５に絡まり付くと、それを解くために厄介な作業を必要とし、それに伴い余計な時間を費やさなければならない。また、絡まり付いたままで釣り竿５を振ってしまうと、釣り糸３がリールから放たれないと共に、周囲に危険を及ぼすといった問題も発生する。
【０００５】
なお、こうした釣り糸３が釣り竿５の先端部に絡まるといった問題は、投げ竿のみでなく、リールを取付けていない通常の釣り竿においても発生する。
【０００６】
本発明はこうした問題に鑑み創案されたもので、釣り糸が、釣り竿の先端部に絡まるのを防止する絡まり防止器具を提供することを課題とする。
【課題を解決するための手段】
【０００７】
図２乃至図５を参照して説明する。請求項１に記載の釣り糸の絡まり防止器具１は、釣り竿５の先端の糸通し輪具２に取付けられ、釣り糸３が前記釣り竿５の先端部に絡まるのを防止するものであって、前記釣り竿５の先端部に着脱自在に組付く組付部１０と、前記組付部１０から垂下設され、所定長さを有する連結棒部２０と、前記連結棒部２０の下端に連結され、前記釣り竿５の先端から垂れ下がる釣り糸３を挿通する挿通部３０とから構成されている。
【０００８】
請求項２に記載の釣り糸の絡まり防止器具１は、釣り竿５の先端部に取付けられ、釣り糸３が前記釣り竿５の先端部に絡まるのを防止するものであって、前記釣り竿５の先端の糸通し輪具２に着脱自在に組付く組付部１０と、前記組付部１０から垂下設され、所定長さを有する連結棒部２０と、前記連結棒部２０の下端に連結され、前記釣り竿５の先端から垂れ下がる釣り糸３を挿通する円形状の挿通部３０とから構成されている。
【０００９】
そして、前記組付部１０を、前記連結棒部２０の上端に連設する円弧状の円弧部１１と、当該円弧部の末端から、前記連結棒部２０とで略ハの字を形成するように延設した延設部１２と、前記連結棒部２０に昇降自在に嵌合する円筒形状で、前記延設部１２に前記連結棒部２０と共に嵌合して前記円弧部を縮径して円形状とし、前記糸通し輪具２に強固に組付ける円筒部１３とで構成されている。また、前記円筒部１３を除く部分は、弾性に富む針金状の金属線で形成されている。
【００１０】
請求項３に記載の釣り糸の絡まり防止器具１は、挿通部３０を、連結棒部２０より左右一方側に寄せて形成し、かつ、その開口空間部３１を上向きに形成して構成されている。この上向きには、斜め上向きも含まれる。
【発明の効果】
【００１１】
請求項１に記載の釣り糸の絡まり防止器具１は、釣り竿５の先端の糸通し輪具２に着脱自在に組付く組付部１０と、その組付部１０から垂下設され、所定長さを有する連結棒部２０と、当該連結棒部２０の下端に連結され、釣り竿５の先端から垂れ下がる釣り糸３を挿通する挿通部３０とで構成したので、釣り糸３が釣り竿５の先端部に絡まるのを未然に防止することができる。
【００１２】
すなわち、釣り竿５の先端から垂れ下がった状態の釣り糸３は、絡まり防止器具１の挿通部３０を挿通しており、この挿通部３０は、連結棒部２０のはたらきによって釣り竿５から所定長さ離れた位置に存在する。従って、風邪などの影響で釣り糸３が揺れた場合、その揺れは釣り竿５の先端ではなく、釣り竿５から所定長さ離れた挿通部３０を支点として生じる。そのため、釣り糸３が揺れても、当該釣り糸３は釣り竿５の先端部に達することがなく、よって、当該先端部に絡まることがない。
【００１３】
請求項２に記載の釣り糸の絡まり防止器具１は、請求項１に記載の発明と同様に、釣り糸３が釣り竿５の先端部に絡まるのを未然に防止することができる。
【００１４】
また、組付部１０を、円弧部１１と延設部１２と円筒部１３で形成したので、糸通し輪具２に容易に取付けることができる。すなわち、円弧部１１を糸通し輪具２の先端部に嵌め込んだ後、連結棒部２０に嵌合している円筒部１３を押し上げて延設部１２も嵌合することによって、円弧部１１を縮径して円形状とし、糸通し輪具２に強固に組付けることができる。こうした作用は、円筒部１３を除く部分を、弾性に富む針金状の金属線で形成していることによって円滑に達成される。なお、円筒部１３を除く部分を針金状の金属線で形成しているので、強度に優れると共に軽量であり、その取扱いも容易である。
【００１５】
なお、組付部１０の取り外しは、円筒部１３を押し下げて延設部１２を開放し、円弧部１１を原形に復帰させた後、糸通し輪具２から引き抜くことによって容易に行うことができる。
【００１６】
請求項３に記載の釣り糸の絡まり防止器具１は、請求項１および２に記載の発明と同様の効果を発揮する。また、挿通部３０を、連結棒部２０より左右一方側に寄せて形成しているので、釣り竿５の先端から垂れ下がった釣り糸３は、連結棒部２０と干渉すること当該挿通部３０を挿通する。従って、釣り糸３を放つ際や巻取る際に、当該連結棒部２０を含む絡まり防止器具１がその邪魔になることがない。
【００１７】
さらに、挿通部３０の開口空間部３１を上向きに形成しているので、釣り糸３が挿通部３０の枠部３２に干渉することなく円滑に通過できる。従って、釣り糸３を放つ際や巻取る際に、釣り糸３が挿通部３０の枠部３２に当たって、それらの動作の邪魔になるといったことがない。
【発明を実施するための最良の形態】
【００１８】
本発明に係る釣り糸の絡まり防止器具１の実施形態を、図２乃至図５に示す。これは、釣り竿（投げ竿）５の先端の糸通し輪具２に取付けられ、釣り糸３が釣り竿５の先端部に絡まるのを防止する器具１であって、組付部１０、連結棒部２０および挿通部３０とで構成される。
【００１９】
組付部１０は、釣り竿５の先端部に着脱自在に組付くものである。また、連結棒部２０は、組付部１０から垂下設され、所定長さを有する。さらに、挿通部３０は、連結棒部２０の下端に連結され、釣り竿５の先端から垂れ下がる釣り糸３をその開口空間部３１に挿通する。なお、当該防止器具１の大きさは限定されるものではなく、釣り竿５の大きさによって変わるが、本実施形態では、組付部１０の径を１０ｍｍ程度、連結棒部２０の長さを８０ｍｍ程度、挿通部３０の経を５ｍｍ程度とし、全体の長さを１００ｍｍ程度としている。
【００２０】
そして、組付部１０を、連結棒部２０の上端に連設する円弧状の円弧部１１と、その円弧部１１の末端から、連結棒部２０とで略ハの字を形成するように延設した延設部１２と、連結棒部２０に昇降自在に嵌合する円筒形状の円筒部１３とで構成している。この円筒部１３は、延設部１２に連結棒部２０と共に嵌合して円弧部１１を縮径して円形状とし、釣り竿５の先端部に強固に組付けるものである。なお、円筒部１３はゴムや樹脂などの軟質材で形成し、当該円筒部１３を除く部分は、弾性に富む針金状の一本の金属線で一体成形している。
【００２１】
さらに、挿通部３０を、連結棒部２０より左側（または右側）に寄せて形成し、かつ、その開口空間部３１を斜め上向きに傾斜させている。
【００２２】
本実施形態に係る釣り糸の絡み防止器具１は、次のようにして使用する。まず、組付部１０を、その円筒部１３を連結棒部２０に嵌合した状態で降下させて延設部１２を開放し、当該延設部１２と円弧部１１との間に形成される開口受入部１４から釣り竿５の先端の糸通し輪具２に嵌合する。次に、当該絡み防止器具１の取付け位置を調整した後、円筒部１３を押し上げて延設部１２に連結棒部２０と共に嵌合する。これによって、円弧部１１が縮径されて円形状となり、糸通し輪具２に強く嵌合して組付く。なお、挿通部３０の開口空間部３１には、組付部１０を釣り竿５に取付ける前、あるいは取付けた後のいずれかにおいて、釣り糸３を挿通する。
【００２３】
こうして釣り竿５の先端部に取付けた釣り糸の絡まり防止器具１によって、釣り糸３が釣り竿５の先端部に絡まるのを未然に防止することができる。すなわち、釣り竿５の先端から垂れ下がった釣り糸３は、絡まり防止器具１の挿通部３０を挿通しており、この挿通部３０は、連結棒部２０の作用によって釣り竿５から所定長さ離れた位置に位置している。従って、例えば、風邪の影響で釣り糸３が揺れても、その揺れは釣り竿５の先端ではなく、釣り竿５から所定距離離れた箇所に位置する挿通部３０を支点として行われる。そのため、揺れた釣り糸３は、釣り竿５の先端部に達することがなく、よって、当該先端部に絡まることがない。
【００２４】
また、本実施形態に係る釣り糸の絡まり防止器具１は、挿通部３０を、連結棒部２０より左側（または右側）に寄せて形成しているので、釣り竿５の先端から垂れ下がった釣り糸３がこの連結棒部２０と干渉することなく当該挿通部３０を挿通する。従って、釣り糸３を放つ際や巻取る際に、この絡まり防止器具１が邪魔になることがない。
【００２５】
さらに、挿通部３０の開口空間部３１を釣り竿５の方向に向けているので、釣り糸３が挿通部３０の開口空間部３１に、その枠部３２に干渉することなく円滑に通過できる。従って、釣り糸３を放つ際や巻取る際に、釣り糸３が枠部３２に当たって、それらの動作の邪魔になることもない。
【００２６】
なお、この釣り糸の絡み防止器具１は、円筒部１３を除く部分を、弾性に富む一本の針金状の金属線で一体成形しているので、強度に優れると共に軽量であり、その取扱いも容易である。
【図面の簡単な説明】
【００２７】
【図１】釣り糸の絡み防止器具を取付けていない釣り竿を示す斜視図である。
【図２】本発明の実施形態に係る釣り糸の絡み防止器具を示す斜視図である。
【図３】図２に示す絡み防止器具を示すもので、（ａ）は正面図、（ｂ）は側面図である。
【図４】図２に示す絡み防止器具の組付部の動きを示す正面図である。
【図５】図４（右側の図）のＡ−Ａ線断面図である。
【符号の説明】
【００２８】
１        釣り竿の絡み防止器具
２        糸通し輪具
３        釣り糸
４        おもり
５        釣り竿
１０      組付部
１１      円弧部
１２      延設部
１３      円筒部
１４      開口受入部
２０      連結棒部
３０      挿通部
３１      開口空間部
３２      枠部
【図１】
2007295837.tif 000003
【図２】
2007295837.tif 000004
【図３】
2007295837.tif 000005
【図４】
2007295837.tif 000006
【図５】
2007295837.tif 000007
【手続補正書】
【提出日】平成18年5月8日(2006.5.8)
【手続補正１】
【補正対象書類名】特許請求の範囲
【補正対象項目名】全文
【補正方法】変更
【補正の内容】
【特許請求の範囲】
【請求項１】
釣り竿（５）の先端部に取付けられ，釣り糸（３）が前記釣り竿の先端部に絡まるのを防止する器具であって、前記釣り竿の先端の糸通し輪具（２）に着脱自在に組付く組付部（１０）と、前記組付部から垂下設され，所定長さを有する連結棒部（２０）と、前記連結棒部の下端に連結され，前記釣り竿の先端から垂れ下がる釣り糸を挿通する挿通部（３０）とからなる釣り糸の絡まり防止器具。
【請求項２】
釣り竿（５）の先端部に取付けられ，釣り糸（３）が前記釣り竿の先端部に絡まるのを防止する器具であって、前記釣り竿の先端の糸通し輪具（２）に着脱自在に組付く組付部（１０）と、前記組付部から垂下設され，所定長さを有する連結棒部（２０）と、前記連結棒部の下端に連結され，前記釣り竿の先端から垂れ下がる釣り糸を挿通する円形状の挿通部（３０）とからなり、前記組付部を，前記連結棒部の上端に連設する円弧状の円弧部（１１）と，該円弧部の末端から，前記連結棒部とで略ハの字を形成するように延設した延設部（１２）と，前記連結棒部に昇降自在に嵌合する円筒形状で，前記延設部を前記連結棒部と共に嵌合して前記円弧部を縮径して円形状とし，前記糸通し輪具（２）に組付ける円筒部（１３）とで構成し、前記円筒部を除く部分を，弾性に富む針金状の金属線で形成してなる釣り糸の絡まり防止器具。
【請求項３】
挿通部（３０）を、連結棒部（２０）より左右一方側に寄せて形成し、かつ、その開口空間部（３１）を上向きに形成してなる請求項１または２に記載の釣り糸の絡まり防止器具。
【手続補正２】
【補正対象書類名】明細書
【補正対象項目名】全文
【補正方法】変更
【補正の内容】
【発明の詳細な説明】
【技術分野】
【０００１】
本発明は、例えば、魚の投げ釣りに使用する釣り竿の先端部に取付け、釣り糸が当該先端部に絡まるのを防止する絡まり防止器具に関するものである。
【背景技術】
【０００２】
魚釣りの方法として、例えば、釣り竿（投げ竿）にリールを取付け、当該釣り竿を振ってリールに巻回している釣り糸を遠くに放つ投げ釣りがある。
【発明の開示】
【発明が解決しようとする課題】
【０００３】
こうした投げ釣りに使用する釣り竿５には、釣り人を悩ます問題が頻繁に発生する。それは、釣り糸３を巻き上げた状態などにおいて、当該釣り糸３が風などの影響を受けた際に、図１に示すように、釣り竿５の先端部に絡まり付くことである。この問題は、釣り糸３が釣り竿５の先端から直接垂れ下がっているため、風などの影響で、当該釣り糸３が竿５の先端を支点として揺れて、そのすぐ近傍に位置する釣り竿５の先端部に容易に届いてしまうことによって発生するものである。
【０００４】
釣り糸３が釣り竿５に絡まり付くと、それを解くために厄介な作業を必要とし、それに伴い余計な時間を費やさなければならない。また、絡まり付いたままで釣り竿５を振ってしまうと、釣り糸３がリールから放たれないと共に、周囲に危険を及ぼすといった問題も発生する。
【０００５】
なお、こうした釣り糸３が釣り竿５の先端部に絡まるといった問題は、投げ竿のみでなく、リールを取付けていない通常の釣り竿においても発生する。
【０００６】
本発明はこうした問題に鑑み創案されたもので、釣り糸が、釣り竿の先端部に絡まるのを防止する絡まり防止器具を提供することを課題とする。
【課題を解決するための手段】
【０００７】
図２乃至図５を参照して説明する。請求項１に記載の釣り糸の絡まり防止器具１は、釣り竿５の先端の糸通し輪具２に取付けられ、釣り糸３が前記釣り竿５の先端部に絡まるのを防止するものであって、前記釣り竿５の先端部に着脱自在に組付く組付部１０と、前記組付部１０から垂下設され、所定長さを有する連結棒部２０と、前記連結棒部２０の下端に連結され、前記釣り竿５の先端から垂れ下がる釣り糸３を挿通する挿通部３０とから構成されている。
【０００８】
請求項２に記載の釣り糸の絡まり防止器具１は、釣り竿５の先端部に取付けられ、釣り糸３が前記釣り竿５の先端部に絡まるのを防止するものであって、前記釣り竿５の先端の糸通し輪具２に着脱自在に組付く組付部１０と、前記組付部１０から垂下設され、所定長さを有する連結棒部２０と、前記連結棒部２０の下端に連結され、前記釣り竿５の先端から垂れ下がる釣り糸３を挿通する円形状の挿通部３０とから構成されている。
【０００９】
そして、前記組付部１０を、前記連結棒部２０の上端に連設する円弧状の円弧部１１と、当該円弧部の末端から、前記連結棒部２０とで略ハの字を形成するように延設した延設部１２と、前記連結棒部２０に昇降自在に嵌合する円筒形状で、前記延設部１２に前記連結棒部２０と共に嵌合して前記円弧部を縮径して円形状とし、前記糸通し輪具２に組付ける円筒部１３とで構成されている。また、前記円筒部１３を除く部分は、弾性に富む針金状の金属線で形成されている。
【００１０】
請求項３に記載の釣り糸の絡まり防止器具１は、挿通部３０を、連結棒部２０より左右一方側に寄せて形成し、かつ、その開口空間部３１を上向きに形成して構成されている。この上向きには、斜め上向きも含まれる。
【発明の効果】
【００１１】
請求項１に記載の釣り糸の絡まり防止器具１は、釣り竿５の先端の糸通し輪具２に着脱自在に組付く組付部１０と、その組付部１０から垂下設され、所定長さを有する連結棒部２０と、当該連結棒部２０の下端に連結され、釣り竿５の先端から垂れ下がる釣り糸３を挿通する挿通部３０とで構成したので、釣り糸３が釣り竿５の先端部に絡まるのを未然に防止することができる。
【００１２】
すなわち、釣り竿５の先端から垂れ下がった状態の釣り糸３は、絡まり防止器具１の挿通部３０を挿通しており、この挿通部３０は、連結棒部２０のはたらきによって釣り竿５から所定長さ離れた位置に存在する。従って、風などの影響で釣り糸３が揺れた場合、その揺れは釣り竿５の先端ではなく、釣り竿５から所定長さ離れた挿通部３０を支点として生じる。そのため、釣り糸３が揺れても、当該釣り糸３は釣り竿５の先端部に達することがなく、よって、当該先端部に絡まることがない。
【００１３】
請求項２に記載の釣り糸の絡まり防止器具１は、請求項１に記載の発明と同様に、釣り糸３が釣り竿５の先端部に絡まるのを未然に防止することができる。
【００１４】
また、組付部１０を、円弧部１１と延設部１２と円筒部１３で形成したので、糸通し輪具２に容易に取付けることができる。すなわち、円弧部１１を糸通し輪具２の先端部に嵌め込んだ後、連結棒部２０に嵌合している円筒部１３を押し上げて延設部１２も嵌合することによって、円弧部１１を縮径して円形状とし、糸通し輪具２に組付けることができる。こうした作用は、円筒部１３を除く部分を、弾性に富む針金状の金属線で形成していることによって円滑に達成される。なお、円筒部１３を除く部分を針金状の金属線で形成しているので、強度に優れると共に軽量であり、その取扱いも容易である。
【００１５】
なお、組付部１０の取り外しは、円筒部１３を押し下げて延設部１２を開放し、円弧部１１を原形に復帰させた後、糸通し輪具２から引き抜くことによって容易に行うことができる。
【００１６】
請求項３に記載の釣り糸の絡まり防止器具１は、請求項１および２に記載の発明と同様の効果を発揮する。また、挿通部３０を、連結棒部２０より左右一方側に寄せて形成しているので、釣り竿５の先端から垂れ下がった釣り糸３は、連結棒部２０と干渉すること当該挿通部３０を挿通する。従って、釣り糸３を放つ際や巻取る際に、当該連結棒部２０を含む絡まり防止器具１がその邪魔になることがない。
【００１７】
さらに、挿通部３０の開口空間部３１を上向きに形成しているので、釣り糸３が挿通部３０の枠部３２に干渉することなく円滑に通過できる。従って、釣り糸３を放つ際や巻取る際に、釣り糸３が挿通部３０の枠部３２に当たって、それらの動作の邪魔になるといったことがない。
【発明を実施するための最良の形態】
【００１８】
本発明に係る釣り糸の絡まり防止器具１の実施形態を、図２乃至図５に示す。これは、釣り竿（投げ竿）５の先端の糸通し輪具２に取付けられ、釣り糸３が釣り竿５の先端部に絡まるのを防止する器具１であって、組付部１０、連結棒部２０および挿通部３０とで構成される。
【００１９】
組付部１０は、釣り竿５の先端部に着脱自在に組付くものである。また、連結棒部２０は、組付部１０から垂下設され、所定長さを有する。さらに、挿通部３０は、連結棒部２０の下端に連結され、釣り竿５の先端から垂れ下がる釣り糸３をその開口空間部３１に挿通する。なお、当該防止器具１の大きさは限定されるものではなく、釣り竿５の大きさによって変わるが、本実施形態では、組付部１０の径を１０ｍｍ程度、連結棒部２０の長さを８０ｍｍ程度、挿通部３０の経を５ｍｍ程度とし、全体の長さを１００ｍｍ程度としている。
【００２０】
そして、組付部１０を、連結棒部２０の上端に連設する円弧状の円弧部１１と、その円弧部１１の末端から、連結棒部２０とで略ハの字を形成するように延設した延設部１２と、連結棒部２０に昇降自在に嵌合する円筒形状の円筒部１３とで構成している。この円筒部１３は、延設部１２に連結棒部２０と共に嵌合して円弧部１１を縮径して円形状とし、釣り竿５の先端部に組付けるものである。なお、円筒部１３はゴムや樹脂などの軟質材で形成し、当該円筒部１３を除く部分は、弾性に富む針金状の一本の金属線で一体成形している。
【００２１】
さらに、挿通部３０を、連結棒部２０より左側（または右側）に寄せて形成し、かつ、その開口空間部３１を斜め上向きに傾斜させている。
【００２２】
本実施形態に係る釣り糸の絡み防止器具１は、次のようにして使用する。まず、組付部１０を、その円筒部１３を連結棒部２０に嵌合した状態で降下させて延設部１２を開放し、当該延設部１２と円弧部１１との間に形成される開口受入部１４から釣り竿５の先端の糸通し輪具２に嵌合する。次に、当該絡み防止器具１の取付け位置を調整した後、円筒部１３を押し上げて延設部１２に連結棒部２０と共に嵌合する。これによって、円弧部１１が縮径されて円形状となり、糸通し輪具２に強く嵌合して組付く。なお、挿通部３０の開口空間部３１には、組付部１０を釣り竿５に取付ける前、あるいは取付けた後のいずれかにおいて、釣り糸３を挿通する。
【００２３】
こうして釣り竿５の先端部に取付けた釣り糸の絡まり防止器具１によって、釣り糸３が釣り竿５の先端部に絡まるのを未然に防止することができる。すなわち、釣り竿５の先端から垂れ下がった釣り糸３は、絡まり防止器具１の挿通部３０を挿通しており、この挿通部３０は、連結棒部２０の作用によって釣り竿５から所定長さ離れた位置に位置している。従って、例えば、風の影響で釣り糸３が揺れても、その揺れは釣り竿５の先端ではなく、釣り竿５から所定距離離れた箇所に位置する挿通部３０を支点として行われる。そのため、揺れた釣り糸３は、釣り竿５の先端部に達することがなく、よって、当該先端部に絡まることがない。
【００２４】
また、本実施形態に係る釣り糸の絡まり防止器具１は、挿通部３０を、連結棒部２０より左側（または右側）に寄せて形成しているので、釣り竿５の先端から垂れ下がった釣り糸３がこの連結棒部２０と干渉することなく当該挿通部３０を挿通する。従って、釣り糸３を放つ際や巻取る際に、この絡まり防止器具１が邪魔になることがない。
【００２５】
さらに、挿通部３０の開口空間部３１を釣り竿５の方向に向けているので、釣り糸３が挿通部３０の開口空間部３１に、その枠部３２に干渉することなく円滑に通過できる。従って、釣り糸３を放つ際や巻取る際に、釣り糸３が枠部３２に当たって、それらの動作の邪魔になることもない。
【００２６】
なお、この釣り糸の絡み防止器具１は、円筒部１３を除く部分を、弾性に富む一本の針金状の金属線で一体成形しているので、強度に優れると共に軽量であり、その取扱いも容易である。
【図面の簡単な説明】
【００２７】
【図１】釣り糸の絡み防止器具を取付けていない釣り竿を示す斜視図である。
【図２】本発明の実施形態に係る釣り糸の絡み防止器具を示す斜視図である。
【図３】図２に示す絡み防止器具を示すもので、（ａ）は正面図、（ｂ）は側面図である。
【図４】図２に示す絡み防止器具の組付部の動きを示す正面図である。
【図５】図４（右側の図）のＡ−Ａ線断面図である。
【符号の説明】
【００２８】
１        釣り竿の絡み防止器具
２        糸通し輪具
３        釣り糸
４        おもり
５        釣り竿
１０      組付部
１１      円弧部
１２      延設部
１３      円筒部
１４      開口受入部
２０      連結棒部
３０      挿通部
３１      開口空間部
３２      枠部